(57)【要約】      （修正有）【課題】注入用配管の内面に薬剤の析出物が付着することで生じる差圧上昇または閉塞を抑制することができる薬剤注入技術を提供する。【解決手段】薬剤注入装置は、原子炉の冷却水Ｗが流れる冷却水配管１５に接続される注入用配管２０と、注入用配管２０を介して冷却水Ｗに薬剤Ｙを注入する注入機器２１と、注入用配管２０の内面を薬剤Ｙの表面電荷に対して同符号の電荷を持つ表面状態とする特定部２２とを備える。【選択図】図２
2020187007.tif 000002
【特許請求の範囲】
【請求項１】
原子炉の冷却水が流れる冷却水配管に接続される注入用配管と、
前記注入用配管を介して前記冷却水に薬剤を注入する注入機器と、
前記注入用配管の内面を前記薬剤の表面電荷に対して同符号の電荷を持つ表面状態とする特定部と、
を備える、
薬剤注入装置。
【請求項２】
前記特定部は、前記注入用配管における前記冷却水配管との接続部分から少なくとも１ｍの範囲に設けられる、
請求項１に記載の薬剤注入装置。
【請求項３】
前記注入用配管は、前記冷却水配管における１００℃以上の前記冷却水が流れる部分に接続される、
請求項１または請求項２に記載の薬剤注入装置。
【請求項４】
前記注入用配管は、鉄鋼、非鉄鋼、非鉄金属、溶接金属の少なくともいずれか１つから成る、
請求項１から請求項３のいずれか１項に記載の薬剤注入装置。
【請求項５】
前記薬剤は、イオンと微粒子の少なくとも一方を含む、
請求項１から請求項４のいずれか１項に記載の薬剤注入装置。
【請求項６】
前記薬剤は、前記原子炉の構造材の成分に含まれる元素、貴金属元素、遷移元素の少なくとも１つを有する前記イオンを含む、
請求項５に記載の薬剤注入装置。
【請求項７】
前記薬剤は、前記原子炉の構造材の成分に含まれる元素、貴金属元素、遷移元素の少なくとも１つを有する前記微粒子を含む、
請求項５または請求項６に記載の薬剤注入装置。
【請求項８】
前記原子炉の構造材の成分に含まれる元素は、鉄、ニッケル、クロムの少なくとも１つから成る、
請求項６または請求項７に記載の薬剤注入装置。
【請求項９】
前記貴金属元素は、金、銀、白金、パラジウム、ロジウム、イリジウム、ルテニウム、オスミウムの少なくとも１つから成る、
請求項６から請求項８のいずれか１項に記載の薬剤注入装置。
【請求項１０】
前記遷移元素は、亜鉛、チタン、ジルコニウムの少なくとも１つから成る、
請求項６から請求項９のいずれか１項に記載の薬剤注入装置。
【請求項１１】
前記特定部は、前記注入用配管の内面に特定物質を人為的に付着させた部分である、
請求項１から請求項１０のいずれか１項に記載の薬剤注入装置。
【請求項１２】
前記特定物質は、Ｆｅ２Ｏ３である、
請求項１１に記載の薬剤注入装置。
【請求項１３】
原子炉の冷却水が流れる冷却水配管に接続される注入用配管を介して注入機器が前記冷却水に薬剤を注入するステップと、
前記注入用配管の内面を前記薬剤の表面電荷に対して同符号の電荷を持つ表面状態とするステップと、
を含む、
薬剤注入方法。
【発明の詳細な説明】
【技術分野】
【０００１】
本発明の実施形態は、薬剤注入装置および薬剤注入方法に関する。
【背景技術】
【０００２】
原子炉、圧力容器、配管などを構成する構造材において、運転中に発生する応力腐食割れを抑制することは、寿命延長および稼働率向上の観点から重要である。この応力腐食割れ対策として、水素注入、酸化チタン注入、貴金属注入などが実施されている。これらは、構造材の腐食電位を低下させる技術である。
【０００３】
水素注入では、給水系を介して原子炉の冷却水に水素を注入し、水中の酸素、過酸化水素を低減させる。酸素、過酸化水素の低減効果は、材料の腐食電位の低下として現れる。また、酸化チタン注入は、原子炉の冷却系に酸化チタンの微粒子を注入し、原子炉内を巡らせることで、材料表面に微粒子を付着させる。そして、原子炉の運転中に発生するチェレンコフ光と酸化チタンとの光反応により腐食電位を低下させる。この酸化チタン注入は、微量の水素注入との併用により、配管などの光が届かない部位についても腐食電位を低下させる。また、貴金属注入は、白金またはロジウムの化合物を炉内に注入し、水素注入と組み合わせることで材料の腐食電位を低下させる。
【先行技術文献】
【特許文献】
【０００４】
【特許文献１】特開２０１７−１８１３５０号公報
【特許文献２】特開２０１７−１８１３５１号公報
【非特許文献】
【０００５】
【非特許文献１】原子炉水化学ハンドブック  日本原子力学会編  コロナ社  ２０００年１２月２７日発行
【発明の概要】
【発明が解決しようとする課題】
【０００６】
金属のイオンまたは微粒子を腐食防止用の薬剤として給水配管に注入する場合に、給水配管に接続される注入用配管の出口近傍で生じる急激な温度変化により、薬剤の金属が過度に析出してしまう。そして、析出物が注入用配管の内面に付着し、注入用配管の差圧上昇または閉塞が起こるという課題がある。
【０００７】
本発明の実施形態は、このような事情を考慮してなされたもので、注入用配管の内面に薬剤の析出物が付着することで生じる差圧上昇または閉塞を抑制することができる薬剤注入技術を提供することを目的とする。
【課題を解決するための手段】
【０００８】
本発明の実施形態に係る薬剤注入装置は、原子炉の冷却水が流れる冷却水配管に接続される注入用配管と、前記注入用配管を介して前記冷却水に薬剤を注入する注入機器と、前記注入用配管の内面を前記薬剤の表面電荷に対して同符号の電荷を持つ表面状態とする特定部と、を備える。
【発明の効果】
【０００９】
本発明の実施形態により、注入用配管の内面に薬剤の析出物が付着することで生じる差圧増加または閉塞を抑制することができる薬剤注入技術が提供される。
【図面の簡単な説明】
【００１０】
【図１】原子力プラントを示す概念図。
【図２】薬剤注入装置を示す断面図。
【図３】ＴｉＯ２のゼータ電位とｐＨの関係を示すグラフ。
【図４】表面電荷制御による析出物の付着量を示すグラフ。
【図５】同符号データ電位における析出物の付着量を示すグラフ。
【図６】各酸化物のゼータ電位とｐＨの関係を示すグラフ。
【図７】薬剤注入方法を示すフローチャート。
【発明を実施するための形態】
【００１１】
以下、図面を参照しながら、薬剤注入装置の実施形態について詳細に説明する。
【００１２】
図１の符号１は、原子力プラント（原子力発電所）である。本実施形態では、原子力プラント１の一例として沸騰水型原子炉（ＢＷＲ）を例示する。原子力プラント１は、原子炉２と、この原子炉２を収容する圧力容器３と、圧力容器３で発生した主蒸気により回転されるタービン４と、タービン４の回転力を用いて発電を行う発電機５と、タービン４の回転に使われた主蒸気を水に戻す復水器６とを備える。
【００１３】
また、原子力プラント１は、原子炉２を冷却する原子炉冷却系７と、この原子炉冷却系７を流れる冷却水の浄化を行う浄化系８とを備える。
【００１４】
原子炉冷却系７は、圧力容器３からタービン４に主蒸気を輸送する主蒸気配管９と、復水器６から圧力容器３に冷却水を輸送する給水配管１０と備える。なお、給水配管１０には、復水器６から輸送される冷却水のろ過脱塩を行う復水ろ過脱塩装置１１と、冷却水を圧力容器３に送る給水ポンプ１２と、冷却水を加熱する給水加熱器１３とが設けられる。
【００１５】
また、主蒸気配管９から分岐されたバイパス配管１４が給水加熱器１３を介して復水器６に接続される。復水器６から圧力容器３に輸送される冷却水は、給水加熱器１３でバイパス配管１４を流れる主蒸気と熱交換がなされ、所定の温度になるように加熱される。
【００１６】
浄化系８は、圧力容器３から冷却水の一部を引き抜いて給水配管１０に輸送する浄化用配管１５と、圧力容器３から冷却水の一部を引き抜くための浄化用ポンプ１６と、熱交換器１７と、浄化装置１８とを備える。
【００１７】
なお、熱交換器１７は、浄化装置１８に導入される冷却水と、浄化装置１８から導出される冷却水との間で熱交換を行う。この熱交換器１７によって、冷却水は、浄化装置１８に導入される前に温度が下げられ、浄化装置１８から導出された後に温度が上げられる。圧力容器３の冷却水は、この浄化系８を介して循環される。
【００１８】
本実施形態では、給水配管１０および浄化用配管１５が、原子炉２の冷却水が流れる冷却水配管となっている。なお、浄化系８には、冷却水に薬剤を注入する薬剤注入装置１９が設けられる。この薬剤注入装置１９は、原子炉２、圧力容器３、配管９，１４，１５などの原子力プラント１を構成する構造材の腐食電位を低下させるために、特定の薬剤を注入する。
【００１９】
薬剤注入装置１９は、浄化用配管１５に接続される注入用配管２０と、この注入用配管２０を介して冷却水に薬剤を注入する注入機器２１とを備える。
【００２０】
注入用配管２０は、注入機器２１から延び、浄化用配管１５における熱交換器１７よりも下流側の部分に接続される。つまり、浄化用配管１５が給水配管１０に接続される直前の部分に、注入用配管２０が接続される。この浄化用配管１５の部分には、１００℃以上の冷却水が流れるようになっている。なお、注入用配管２０から注入される薬剤の液体の温度は、１５０℃以上となっている。この温度は、２００℃以上の温度でも良いし、３００℃以上の温度でも良い。
【００２１】
図２に示すように、浄化用配管１５を冷却水Ｗが流れる。注入機器２１は、薬剤Ｙを供給するためのポンプを備える。そして、注入機器２１から注入用配管２０を介して薬剤Ｙが浄化用配管１５に注入される。
【００２２】
本実施形態の注入用配管２０は、浄化用配管１５における１００℃以上の冷却水Ｗが流れる部分に接続される。このようにすれば、注入用配管２０から流れ出る薬剤Ｙと浄化用配管１５を流れる冷却水Ｗとの温度差を小さくして薬剤Ｙの析出物の発生を抑制することができる。なお、浄化用配管１５を流れる冷却水Ｗと注入用配管２０から注入される薬剤Ｙの温度差は、少なくとも５０℃となっている。この温度差は、１００℃以上でも良いし、２００℃以上でも良い。
【００２３】
また、注入用配管２０は、鉄鋼、非鉄鋼、非鉄金属、溶接金属の少なくともいずれか１つから成る。このようにすれば、浄化用配管１５と接続される注入用配管２０を容易に形成することができる。
【００２４】
また、薬剤Ｙは、イオンと微粒子の少なくとも一方を含む。つまり、薬剤Ｙは、イオン溶液でも良いし、コロイド溶液でも良い。このようにすれば、薬剤Ｙが冷却水Ｗに混ざり易くなり、原子炉２および原子炉冷却系７の広い範囲に薬剤Ｙを拡散させることができる。
【００２５】
また、薬剤Ｙは、原子炉２、圧力容器３、配管９，１４，１５などの原子力プラント１を構成する構造材の成分に含まれる元素、貴金属元素、遷移元素の少なくとも１つを有するイオンまたは微粒子を含む。このようにすれば、原子炉２などを構成する構造材の腐食電位を低下させるために適した薬剤Ｙの性状とすることができる。
【００２６】
また、薬剤Ｙに含まれる原子炉２などの構造材の成分に含まれる元素は、鉄、ニッケル、クロムの少なくとも１つから成る。このようにすれば、原子炉２などの構造材の成分以外の不純物を原子炉冷却系７または浄化系８に入れずに構造材の腐食を抑制することができる。
【００２７】
また、薬剤Ｙに含まれる貴金属元素は、金、銀、白金、パラジウム、ロジウム、イリジウム、ルテニウム、オスミウムの少なくとも１つから成る。このようにすれば、原子炉２などを構成する構造材の腐食電位を低下させる。
【００２８】
また、薬剤Ｙに含まれる遷移元素は、亜鉛、チタン、ジルコニウムの少なくとも１つから成る。このようにすれば、原子炉２などの構造材の腐食を抑制することができる。なお、薬剤Ｙは、酸化亜鉛、酸化チタン、酸化ジルコニウムなどの金属酸化物を含む。
【００２９】
薬剤注入装置１９は、注入用配管２０の内面の表面に設けられる特定部２２を備える。薬剤Ｙは、所定の電荷を有する。特定部２２は、注入用配管２０の内面を薬剤Ｙの表面電荷に対して同符号の電荷を持つ表面状態に制御する。
【００３０】
注入用配管２０から浄化用配管１５に薬剤Ｙが流れ出るときには、薬剤Ｙの温度が急激に低下する。そのため、薬剤Ｙに溶けていた物質が析出してしまう場合がある。そして、この析出物が注入用配管２０の出口部分（浄化用配管１５に対する接続部分）に付着してしまうと、注入用配管２０の差圧増加または閉塞が生じてしまう場合がある。そこで、本実施形態では、特定部２２を設けるようにしている。
【００３１】
例えば、薬剤Ｙが負の電荷を有する場合には、特定部２２により注入用配管２０の内面を同符号の負の電荷を有するように制御する。同符号の電荷を有することで、静電反発力が生じ、過度な析出または付着を抑制することができる。特に、原子炉冷却系７の高温部（例えば、１００℃以上の部分）に対して、本実施形態の薬剤注入装置１９の注入用配管２０を接続することで、大きな抑制効果が得られる。
【００３２】
本実施形態では、注入用配管２０における浄化用配管１５（冷却水配管）との接続部分から少なくとも１ｍの範囲Ｌに特定部２２が設けられる。なお、特定部２２が設けられる範囲Ｌは、１ｍ以上、５ｍ以下となっている。このようにすれば、注入用配管２０の内面における最も析出物が付着し易い部分に特定部２２を設けることができる。また、１ｍ以上、１０ｍ以下でも良い。なお、注入用配管２０の内径は、１０〜２０ｃｍ程度となっている。
【００３３】
特定部２２は、注入用配管２０の内面に特定物質を人為的に付着させた部分である。なお、本実施形態では、特定物質を所定の接着剤と混合し、人手により注入用配管２０の内面に塗付する。このようにすれば、特定物質の付着により簡便に特定部２２を設けることができる。
【００３４】
本実施形態の特定物質は、Ｆｅ２Ｏ３である。このようにすれば、注入用配管２０の内面を薬剤Ｙの表面電荷に対して同符号の電荷を持つ表面状態とすることができる。なお、特定物質は、注入用配管２０の内面を薬剤Ｙの表面電荷に対して同符号の電荷を持つ表面状態とすることができる物質であれば、その他の物質であっても良い。
【００３５】
発明者らは、特定物質に関する試験を行った。この試験結果について図３から図６を用いて説明する。
【００３６】
図３は、薬剤Ｙが微粒子酸化物のＴｉＯ２である場合のゼータ電位（単位はｍＶ）のｐＨ依存性を示している。まず、薬剤Ｙの注入環境が図３中の中性領域Ｒ（ｐＨ＝７）であった場合を想定する。この中性領域Ｒでは、微粒子酸化物ＴｉＯ２のゼータ電位は、おおよそ−３０ｍＶを示した。
【００３７】
これに対し、特定物質の候補となる表面電荷を有する物質を、異符号のＦｅ３Ｏ４と同符号のＦｅ２Ｏ３とした場合に、薬剤Ｙを１６０℃で２４時間に亘って流通させた後の注入用配管２０の内面に対する付着量（単位はμｇ／ｃｍ２）を図４に示す。
【００３８】
図４に示すように、同符号の物質の場合には、付着量が抑制され、静電反発力が作用していることが分かる。なお、この試験結果以外にも、高温になればなるほど付着量に差が生じることが確認されている。このように、注入用配管２０の内面の表面電荷を制御することで、性状が分かっている薬剤Ｙに対して、薬剤Ｙの析出物が付着することを抑制できる注入用配管２０を製造することができる。
【００３９】
図５は、薬剤Ｙに対し、同符号のゼータ電位（単位はｍＶ）を有する処理を施した場合の電位差（Δ）の違いによる付着量（単位はμｇ／ｃｍ２）の変化を示したものである。図６は、各物質のゼータ電位（単位はｍＶ）のｐＨ依存性について示したものである。なお、図６において、グラフαは、ＴｉＯ２とｐＨとの関係を示し、グラフβは、Ｆｅ３Ｏ４とｐＨとの関係を示し、グラフγは、Ｆｅ２Ｏ３とｐＨとの関係を示す。
【００４０】
例えば、ｐＨ＝９の条件では、各物質の微粒子のゼータ電位は、マイナスを示していることが分かる。例えば、ＴｉＯ２に対して、Ｆｅ２Ｏ３とＦｅ３Ｏ４では、電位差が異なる。Ｆｅ３Ｏ４の電位は、ＴｉＯ２の電位よりも１０ｍＶ程度大きく、電位差が生じている。これに対して、Ｆｅ２Ｏ３の電位は、ＴｉＯ２の電位とほとんど同じであることが分かる。
【００４１】
図５は、それぞれの組み合わせで、薬剤Ｙの析出物の付着試験を実施した結果を示す。なお、図５の左側のグラフがＦｅ３Ｏ４の付着量を示し、図５の右側のグラフがＦｅ２Ｏ３の付着量を示す。
【００４２】
図５に示すように、ゼータ電位に差があるＦｅ３Ｏ４の方は、付着量が多くなる。これに対して、ゼータ電位にほとんど差がないＦｅ２Ｏ３の方は、付着量が少なく、付着が抑制されていることが分かる。このように、同じ符号の表面電荷であったとしても、なるべくその電荷の値（ここでは、ゼータ電位）を小さくすることで、過度な付着の抑制ができることが分かる。
【００４３】
次に、薬剤注入装置１９が実行する薬剤注入方法について図７のフローチャートを用いて説明する。この薬剤注入方法の実施によって受動的に生じる作用を含めて説明する。
【００４４】
図７に示すように、まず、ステップＳ１１において、原子炉２の運転停止中、例えば、定期点検時に、注入用配管２０の内面に特定物質を人為的に付着させて特定部２２を形成する施工を行う。
【００４５】
なお、薬剤Ｙの性状を予め解析し、この解析に基づいて特定物質を決定する。また、薬剤注入装置１９を新規に浄化系８に設ける場合は、予め注入用配管２０の内面に特定部２２を形成しておいても良い。
【００４６】
次のステップＳ１２において、特定部２２により、注入用配管２０の内面が薬剤Ｙの表面電荷に対して同符号の電荷を持つ表面状態になる。
【００４７】
次のステップＳ１３において、原子炉２の運転が開始される。
【００４８】
次のステップＳ１４において、注入機器２１は、注入用配管２０を介して浄化用配管１５を流れる冷却水に薬剤Ｙを注入する。
【００４９】
次のステップＳ１５において、特定部２２により、注入用配管２０の内面に対する薬剤Ｙの析出物の付着が抑制される。
【００５０】
なお、本実施形態のフローチャートにおいて、各ステップが直列に実行される形態を例示しているが、必ずしも各ステップの前後関係が固定されるものでなく、一部のステップの前後関係が入れ替わっても良い。また、一部のステップが他のステップと並列に実行されても良い。
【００５１】
なお、本実施形態では、沸騰水型原子炉（ＢＷＲ）に薬剤注入装置１９が設けられているが、その他の態様であっても良い。例えば、改良型沸騰水型軽水炉（ＡＢＷＲ）または加圧水型原子炉（ＰＷＲ）に薬剤注入装置１９が設けられても良い。なお、加圧水型原子炉の場合は、一次冷却系を流れる一次冷却水に薬剤を注入可能な位置に薬剤注入装置１９が設けられる。
【００５２】
なお、本実施形態では、浄化系８に薬剤注入装置１９が設けられているが、原子炉冷却系７に薬剤注入装置１９を設けても良い。また、再循環系などのその他の系統に薬剤注入装置１９を設けても良い。
【００５３】
なお、本実施形態では、主に金属元素を含む薬剤Ｙを注入する薬剤注入装置１９が設けられているが、この薬剤注入装置１９以外に他の注入装置を設けても良い。例えば、冷却水に水素ガスまたは酸素ガスを注入するガス注入装置を設けても良い。
【００５４】
以上説明した実施形態によれば、注入用配管の内面を薬剤の表面電荷に対して同符号の電荷を持つ表面状態とする特定部を備えることにより、注入用配管の内面に薬剤の析出物が付着することで生じる差圧増加または閉塞を抑制することができる。
【００５５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【符号の説明】
【００５６】
１…原子力プラント、２…原子炉、３…圧力容器、４…タービン、５…発電機、６…復水器、７…原子炉冷却系、８…浄化系、９…主蒸気配管、１０…給水配管、１１…復水ろ過脱塩装置、１２…給水ポンプ、１３…給水加熱器、１４…バイパス配管、１５…浄化用配管、１６…浄化用ポンプ、１７…熱交換器、１８…浄化装置、１９…薬剤注入装置、２０…注入用配管、２１…注入機器、２２…特定部、Ｗ…冷却水、Ｙ…薬剤。
【図１】
2020187007.tif 000003
【図２】
2020187007.tif 000004
【図３】
2020187007.tif 000005
【図４】
2020187007.tif 000006
【図５】
2020187007.tif 000007
【図６】
2020187007.tif 000008
【図７】
2020187007.tif 000009
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
原子炉の冷却水が流れる冷却水配管に接続される注入用配管と、
前記注入用配管を介して前記冷却水に薬剤を注入する注入機器と、
前記注入用配管の内面を前記薬剤の表面電荷に対して同符号の電荷を持つ表面状態とする特定部と、
を備える、
薬剤注入装置。
【請求項２】
前記特定部は、前記注入用配管における前記冷却水配管との接続部分から少なくとも１ｍの範囲に設けられる、
請求項１に記載の薬剤注入装置。
【請求項３】
前記注入用配管は、前記冷却水配管における１００℃以上の前記冷却水が流れる部分に接続される、
請求項１または請求項２に記載の薬剤注入装置。
【請求項４】
前記注入用配管は、鉄鋼、非鉄鋼、非鉄金属、溶接金属の少なくともいずれか１つから成る、
請求項１から請求項３のいずれか１項に記載の薬剤注入装置。
【請求項５】
前記薬剤は、イオンと微粒子の少なくとも一方を含む、
請求項１から請求項４のいずれか１項に記載の薬剤注入装置。
【請求項６】
前記薬剤は、前記原子炉の構造材の成分に含まれる元素、貴金属元素、遷移元素の少なくとも１つを有する前記イオンを含む、
請求項５に記載の薬剤注入装置。
【請求項７】
前記薬剤は、前記原子炉の構造材の成分に含まれる元素、貴金属元素、遷移元素の少なくとも１つを有する前記微粒子を含む、
請求項５または請求項６に記載の薬剤注入装置。
【請求項８】
前記原子炉の構造材の成分に含まれる元素は、鉄、ニッケル、クロムの少なくとも１つから成る、
請求項６または請求項７に記載の薬剤注入装置。
【請求項９】
前記貴金属元素は、金、銀、白金、パラジウム、ロジウム、イリジウム、ルテニウム、オスミウムの少なくとも１つから成る、
請求項６から請求項８のいずれか１項に記載の薬剤注入装置。
【請求項１０】
前記遷移元素は、チタン、ジルコニウムの少なくとも１つから成る、
請求項６から請求項９のいずれか１項に記載の薬剤注入装置。
【請求項１１】
前記薬剤は、亜鉛のイオンを含む、
請求項５に記載の薬剤注入装置。
【請求項１２】
前記特定部は、前記注入用配管の内面に特定物質を人為的に付着させた部分である、
請求項１から請求項１１のいずれか１項に記載の薬剤注入装置。
【請求項１３】
前記特定物質は、Ｆｅ２Ｏ３である、
請求項１２に記載の薬剤注入装置。
【請求項１４】
原子炉の冷却水が流れる冷却水配管に接続される注入用配管を介して注入機器が前記冷却水に薬剤を注入するステップと、
前記注入用配管の内面を前記薬剤の表面電荷に対して同符号の電荷を持つ表面状態とするステップと、
を含む、
薬剤注入方法。
【手続補正２】
【補正対象書類名】明細書
【補正対象項目名】００２８
【補正方法】変更
【補正の内容】
【００２８】
また、薬剤Ｙに含まれる遷移元素は、チタン、ジルコニウムの少なくとも１つから成る。なお、薬剤Ｙに含まれる元素は、亜鉛から成るものでも良い。このようにすれば、原子炉２などの構造材の腐食を抑制することができる。なお、薬剤Ｙは、酸化亜鉛、酸化チタン、酸化ジルコニウムなどの金属酸化物を含む。